(57)【要約】【課題】  手を器用に使うことができない者であっても、適当な量で、かつ、適当な形状のトイレットペーパーを使用することが可能なトイレットペーパーボックスを提供する。【解決手段】  既存のトイレットペーパーホルダー３０に取り付けられ、トイレットペーパーボックス１内部に、使用１回分の所定量のトイレットペーパーがシート状に折りたたまれたトイレットペーパーシート２０が積層された状態で収納されており、トイレットペーパーボックス１は、略正六角柱形状を有し、正六角柱の側面の一面である取り出し面１０に、内部に収納されているトイレットペーパーシート２０を取り出し可能にするために開口された取り出し口１１を備え、取り出し面１０は、トイレットペーパーボックス１がトイレットペーパーホルダー３０に取り付けられたときに、使用者側の斜め下を向いた面となる。【選択図】図４
0003229787.tif 000002
【実用新案登録請求の範囲】
【請求項１】
ロール状のトイレットペーパーを保持するため左右に側壁を有するトイレットペーパーホルダーに取り付けられるトイレットペーパーボックスであって、
前記トイレットペーパーボックス内部に、使用１回分の所定量のトイレットペーパーがシート状に折りたたまれたトイレットペーパーシートが積層された状態で収納されており、
前記トイレットペーパーボックスは、多角柱形状を有し、多角柱の側面のうち一面に、内部に収納されているトイレットペーパーシートを取り出し可能にするために開口された取り出し口を備える
ことを特徴とするトイレットペーパーボックス。
【請求項２】
前記トイレットペーパーホルダーは、ロール状のトイレットペーパーをカバーする天板としてホルダーカバーを有し、
前記トイレットペーパーボックスは、前記多角柱の側面のうち前記取り出し口を備える面と隣接しない面に、トイレットペーパーホルダーにトイレットペーパーボックスを着脱自在に取り付けるための挟持部材の入り口となる取付開口部を備え、
前記挟持部材が、前記取付開口部から挿入されて取付開口部を備える面の裏側と、前記ホルダーカバーの表側とで、トイレットペーパーボックスとトイレットペーパーホルダーとを挟持する
ことを特徴とする請求項１記載のトイレットペーパーボックス。
【請求項３】
前記トイレットペーパーボックスは、前記多角柱の側面のうち前記取り出し口を備える面と対向する面に、内部にトイレットペーパーシートを収納するために開口された収納口を備える
ことを特徴とする請求項１又は２に記載のトイレットペーパーボックス。
【請求項４】
前記トイレットペーパーボックスは、略正六角柱形状であり、
前記取り出し口を備える面が、前記トイレットペーパーボックスがトイレットペーパーホルダーに取り付けられたときに、使用者側の斜め下を向いた面となる
ことを特徴とする請求項１〜３のいずれか１項に記載のトイレットペーパーボックス。
【考案の詳細な説明】
【技術分野】
【０００１】
本考案は、トイレットペーパーを収納するトイレットペーパーボックスに関する。
【背景技術】
【０００２】
従来、トイレットペーパーは、ロール状のものを使用することが多い。ロール状のトイレットペーパーを使用者が自らの感覚で適量と思われる長さのところで切り取り、それを折りたたんで使用している。切り取ったペーパーが長すぎるとペーパーの無駄使いとなったり、トイレの配管に詰まったりすることがあるので、これまでに種々の提案がなされている。
【０００３】
例えば、特許文献１では、トイレットペーパーを使用する時、ペーパーの長さを調節して節約できるトイレットペーパーホルダー補助具として、長方形からなる台座部と、台座部の両長辺の一部分に沿って垂直に折り曲がるアーム部と、トイレットペーパーホルダーのアームを係止する為の穴部を形成し、台座部の短辺に沿って折り曲げる背面部を形成したトイレットペーパーホルダー補助具が開示されている。
【先行技術文献】
【特許文献】
【０００４】
【特許文献１】実用新案登録第３２１６０１０号公報
【考案の概要】
【考案が解決しようとする課題】
【０００５】
しかしながら、幼児や高齢者、怪我等で手が不自由な方のように器用に手が使えない者にとっては、上述したようなペーパーの切り取り、折りたたむ作業が困難なことがある。切り取ったペーパーの長さが長すぎるだけでなく、短すぎるものを使用して手を汚してしまうことがあったり、折りたたみが上手くいかずに不適当な形状で使用して手を汚してしまったりすることもある。
【０００６】
また、ペーパーを切り取るにあたり、幼児等が適当な量を判断することは難しいという問題もある。
【０００７】
そこで、本考案は、このような問題に鑑みなされたものであり、手を器用に使うことができない者であっても、適当な量で、かつ、適当な形状のトイレットペーパーを使用することが可能なトイレットペーパーボックスを提供することを目的とする。
【課題を解決するための手段】
【０００８】
上記課題を解決するために、本考案に係るトイレットペーパーボックスは、ロール状のトイレットペーパーを保持するため左右に側壁を有するトイレットペーパーホルダーに取り付けられるトイレットペーパーボックスであって、前記トイレットペーパーボックス内部に、使用１回分の所定量のトイレットペーパーがシート状に折りたたまれたトイレットペーパーシートが積層された状態で収納されており、前記トイレットペーパーボックスは、多角柱形状を有し、多角柱の側面のうち一面に、内部に収納されているトイレットペーパーシートを取り出し可能にするために開口された取り出し口を備えることを特徴とする。
【０００９】
ここで、前記トイレットペーパーホルダーは、ロール状のトイレットペーパーをカバーする天板としてホルダーカバーを有し、前記トイレットペーパーボックスは、前記多角柱の側面のうち前記取り出し口を備える面と隣接しない面に、トイレットペーパーホルダーにトイレットペーパーボックスを着脱自在に取り付けるための挟持部材の入り口となる取付開口部を備え、前記挟持部材が、前記取付開口部から挿入されて取付開口部を備える面の裏側と、前記ホルダーカバーの表側とで、トイレットペーパーボックスとトイレットペーパーホルダーとを挟持するのが好ましい。
【００１０】
また、前記トイレットペーパーボックスは、前記多角柱の側面のうち前記取り出し口を備える面と対向する面に、内部にトイレットペーパーシートを収納するために開口された収納口を備えるのが好ましい。
【００１１】
さらに、前記トイレットペーパーボックスは、略正六角柱形状であり、前記取り出し口を備える面が、前記トイレットペーパーボックスがトイレットペーパーホルダーに取り付けられたときに、使用者側の斜め下を向いた面となるのが好ましい。
【考案の効果】
【００１２】
以上のように、本考案に係るトイレットペーパーボックスによれば、トイレットペーパーボックスの内部に１回分の使用量のシート状のトイレットペーパーを積層させて収納し、既存のトイレットペーパーホルダーに取り付けてシート状のトイレットペーパーを引き出せるように構成しているので、手を器用に使うことができない者であっても、適当な量で、かつ、適当な形状のトイレットペーパーを使用することが可能となる。
【図面の簡単な説明】
【００１３】
【図１】本考案の実施形態のトイレットペーパーボックスを示す斜視図である。
【図２】別の角度から見た斜視図である。
【図３】トイレットペーパーボックス内に収納されるトイレットペーパーシートを示す図である。
【図４】トイレットペーパーボックスをトイレットペーパーホルダーに取り付けた状態の一例を示す図である。
【図５】トイレットペーパーボックスをトイレットペーパーホルダーに取り付けた状態の別の例を示す図である。
【考案を実施するための形態】
【００１４】
以下、本考案の実施形態について図面を参照しながら説明する。
【００１５】
図１は、本考案の実施形態のトイレットペーパーボックスを示す斜視図であり、図２は別の角度から見た斜視図である。
【００１６】
トイレットペーパーボックス１は、トイレットペーパーを収納するための容器であり、全体が略正六角柱形状を有しており、内部にトイレットペーパーを収納するための空間を備えている。トイレットペーパーボックス１内部の空間には、シート状に折りたたまれたトイレットペーパーシート２０が収納されている。トイレットペーパーボックス１は、既存のトイレットペーパーホルダーに取り付け可能になっており、内部に収納されているシート状のトイレットペーパー２０を取り出せるようになっている。なお、トイレットペーパーボックス１は、厚手の紙で本体を形成してもよいし、合成樹脂で成型したものとしてもよい。木製や金属製であってもよいが、使用場所がトイレ内であり、衛生面を考えれば、紙製や合成樹脂製とするのが好ましいといえる。
【００１７】
トイレットペーパーボックス１を構成する略正六角柱の六つの側面のうち、一つの面は内部に収納されているトイレットペーパーシート２０を取り出すための開口部である取り出し口１１を備えた取り出し面１０となっている。
【００１８】
取り出し面１０は、トイレットペーパーボックス１をトイレットペーパーホルダーに取り付けたときトイレットペーパーシート２０が取り出しやすいようにするため、取り出し面１０が下方に位置するように構成するのが好ましい。
【００１９】
取り出し口１１は、収納されているトイレットペーパーシート２０が取り出しやすいようにするとともに、収納されているトイレットペーパーシート２０が落下してしまうことがないように、一定の大きさで開口されている必要がある。なお、取り出し口１１の開口の形状は、ここでは矩形状を示しているが、楕円形状等のその他の形状で開口されていてもよい。
【００２０】
略正六角柱の六つの側面のうち、取り出し面１０と対向する面は、トイレットペーパーシート２０を内部に収納するための開口部である収納口１５を備えた収納面１４となっている。
【００２１】
収納面１４は、略正六角柱の六つの側面のうち、取り出し面１０に隣接しない側面を収納面１４としてもよい。もっとも、トイレットペーパーシート２０を収納する時の容易性や、収納状態の安定性を考慮すると、収納面１４は取り出し面１０と対向する面にするのが好ましい。
【００２２】
収納口１５は、トイレットペーパーシート２０を内部に収納するための開口部であるから、トイレットペーパーシート２０の大きさよりも大きく開口されている。この点、収納部１５は、トイレットペーパーシート２０の収納を容易にする観点から、図２に示すように面全体を開口して構成されるのが好ましいといえる。
【００２３】
略正六角柱の六つの側面のうち、収納面１４の隣の一面、すなわち、取り出し面１０に隣接しない側面の一面は、トイレットペーパーボックス１をトイレットペーパーホルダーに取り付けるための取付開口部１３を備えた取付面１２となっている。
【００２４】
取付面１２は、略正六角柱の六つの側面のうち、取り出し面１０に隣接する側面を取付面１２としてもよい。もっとも、トイレットペーパーボックス１をトイレットペーパーホルダーに取り付けたときに取り出し面１０が下方に位置するように構成するのが好ましい点からいえば、取付面１２は取り出し面１０に隣接しない側面の一面とするのが好ましいといえる。
【００２５】
取付開口部１３は、トイレットペーパーボックス１をトイレットペーパーホルダーに取り付ける際に使用する開口部であり、後述する挟持部材を取付開口部１３の中に入れるので、一定の大きさで開口されている必要がある。一方、取付開口部１３をあまり大きく開口すると、トイレットペーパーボックス１内に異物が入ってしまうおそれが生じるため、その点も踏まえて開口の寸法を調整する必要がある。なお、取付開口部１３の開口の形状は、ここでは矩形状を示しているが、楕円形状等のその他の形状で開口されていてもよい。
【００２６】
図３は、トイレットペーパーボックス内に収納されるトイレットペーパーシートを示す図である。
【００２７】
トイレットペーパーシート２０は、お尻拭き１回分の所定量のトイレットペーパーをシート状にして、このシートを折りたたんだ状態で積層されている。この積層されたトイレットペーパーシート２０は、ビニール袋等のシート包装体２１で包装された状態でトイレットペーパーボックス１に収納される。トイレットペーパーシート２０は、シート包装体２１でパックされているため、トイレットペーパーボックス１に簡単に装着（収納）することができる。なお、お尻拭きに使用する１回分の所定量は、１回あたりのトイレットペーパー使用長さが平均約80cmと言われていることから、この数値に基づいて使用１回分の所定量を設定すればよい。
【００２８】
使用時は、トイレットペーパーシート２０を１枚ずつ取り出せるようになっている。シート包装体２１の底をシール等で封をし、その封を剥がすと最初のトイレットペーパーシート２０が出てくるように構成されている。予め規定された１回分の使用量のシート状になっているので、１回分の使用量の判断が不要であり、ペーパーが長すぎて無駄使いをしたり、短すぎて手を汚したりすることを無くすることができる。１回分ずつが、ティッシュペーパーのように折り重なってシート包装体２１の中に入っているので、１回分にあたるトイレットペーパーシート２０を１枚ずつ次々に取り出すことができる。
【００２９】
トイレットペーパーシート２０の１枚ずつは、２つ折りにしてシート包装体２１の中にコンパクトに収納するのが好ましい。高い吸収力がある厚手のトイレットペーパーが２つ折りになっていれば、使用時に手を汚すことを防げる可能性が高まり、安心である。
【００３０】
また、トイレットペーパーシート２０をコンパクトにすることで、シート包装体２１に収納できるトイレットペーパーシート２０の長さを、従来のロール状のトイレットペーパーの長さよりも長くすることができる。従来のロール状のトイレットペーパー１個で、２つ折りのトイレットペーパーシート２０を１４組程度作成できる。トイレットペーパーシート２０を圧縮してシート包装体２１に収納すると、トイレットペーパーボックス１内には従来のロール状のトイレットペーパー２個分が入るようにすることができる。市販のロール状のトイレットペーパーは、１２個入りを１セットとして店頭に並ぶことが多い。このシート包装体２１に収納した形のトイレットペーパーシート２０であれば、およそ半分ほどの大きさとなるので、買い物時の持ち運びを便利にすることもできる。
【００３１】
さらに、従来のロール状のトイレットペーパーでは、トイレットペーパーホルダーに装着したときには剥き出しになってしまうところ、トイレットペーパーシート２０は、シート包装体２１とトイレットペーパーボックス１とで二重に収納されることになるので、清潔で良好な衛生状態を保つことができる。
【００３２】
従来のロール状のトイレットペーパーでは、残量が少なくなると、回転させて引き出すときにカラカラという騒音を生じさせることがあり、この音が強い不快感を与えてしまうこともある。このトイレットペーパーシート２０では、残量が少なくなってもこのような音を生じさせることが無く、音に敏感な反応を示す者でも安心して使用することができる。
【００３３】
このように構成されるトイレットペーパーボックス１は、トイレットペーパーホルダーに取り付けて使用する。
【００３４】
図４は、トイレットペーパーボックスをトイレットペーパーホルダーに取り付けた状態の一例を示す図である。
【００３５】
トイレットペーパーボックス１は、既存のトイレットペーパーホルダー３０に取り付けられる。一般的な既存のトイレットペーパーホルダー３０には、ロール状のトイレットペーパーをカバーする天板としてホルダーカバー３１が備えられている。このホルダーカバー３１と取付面１２の取付開口部１３とを挟持部材１６で挟持させることにより、トイレットペーパーボックス１はトイレットペーパーホルダー３０に取り付けられる。
【００３６】
挟持部材１６は、トイレットペーパーボックス１とトイレットペーパーホルダー３０とを挟持するクリップ等の部材である。挟持部材１６は、取付開口部１３から挿入されて取付面１２の裏側と、ホルダーカバー３１の表側とに接して、トイレットペーパーボックス１とトイレットペーパーホルダー３０とを挟持する。ここでは、クリップを図示しているが、洗濯ばさみを用いてもよい。なお、ホルダーカバー３１は合成樹脂製や金属製のものが多いことから、挟持部材１６がホルダーカバー３１と接する部分には摩擦係数の高いゴム等の滑り止めを施すのが好ましい。挟持部材１６が取付面１２の裏側と接する部分にも同様に滑り止めを施すのが好ましい。
【００３７】
トイレットペーパーボックス１は、略正六角柱を横にした状態でトイレットペーパーホルダー３０に取り付けられる。略正六角柱の上下の底面が、それぞれトイレットペーパーホルダー３０の両側壁に接し、トイレットペーパーボックス１がトイレットペーパーホルダー３０に嵌合するように略正六角柱の高さが設定されている。トイレットペーパーボックス１がトイレットペーパーホルダー３０に嵌合するほどの密着性を持たせることで、トイレットペーパーシート２０を引き出したときにトイレットペーパーボックス１がトイレットペーパーホルダー３０から抜け落ちることを防ぐことができる。
【００３８】
なお、既存のトイレットペーパーホルダー３０の両側壁間の寸法は、ロール状のトイレットペーパーの寸法に合わせて近似したものになっているので、これに合わせて略正六角柱の高さを設定するとよい。寸法が合わない場合は、摩擦係数の高いゴム等の滑り止めを略正六角柱の上下の底面に貼り付けて、トイレットペーパーホルダー３０の両側壁に嵌合させるようにすればよい。
【００３９】
このように、トイレットペーパーボックス１をトイレットペーパーホルダー３０に取り付けたときに、略正六角柱の面のうち使用者側斜め下に向いた面（壁側ではない面）を取り出し面１０とすることで、トイレットペーパーシート２０のシートをスムーズに取り出すことができるようになっている。
【００４０】
図５は、トイレットペーパーボックスをトイレットペーパーホルダーに取り付けた状態の別の例を示す図である。
【００４１】
装飾部１７は、挟持部材１６に取り付けられる装飾部材であり、例えば、紙素材で花を模して作成した紙細工などである。このように、挟持部材１６に装飾部１７を取り付けることで、トイレ空間を華やかに彩ることができる。
【００４２】
このように、本実施形態のトイレットペーパーボックスによれば、六角柱形状のトイレットペーパーボックスの内部に１回分の使用量のシート状のトイレットペーパーを積層させて収納し、このトイレットペーパーボックスを既存のトイレットペーパーホルダーに取り付けたときに、六角柱の側面の一面からシート状のトイレットペーパーを引き出せるように構成しているので、幼児等でも適当な量および形状のトイレットペーパーを使用することが可能となる。
【００４３】
以上、本考案に係るトイレットペーパーボックスについて、実施の形態に基づいて説明したが本考案はこれに限定されるものではなく、本考案の目的を達成でき、かつ考案の要旨を逸脱しない範囲内で種々設計変更が可能であり、それらも全て本考案の範囲内に包含されるものである。
【００４４】
例えば、上記実施の形態では、トイレットペーパーボックスの形状を略正六角柱として説明したが、その他の多角柱形状であってもよい。
【産業上の利用可能性】
【００４５】
本考案は、トイレットペーパーホルダーに取り付けて使用するトイレットペーパー容器として有用である。
【符号の説明】
【００４６】
１    トイレットペーパーボックス
１０  取り出し面
１１  取り出し口
１２  取付面
１３  取付開口部
１４  収納面
１５  収納口
１６  挟持部材
１７  装飾部
２０  トイレットペーパーシート
２１  シート包装体
３０  トイレットペーパーホルダー
３１  ホルダーカバー
【図１】
0003229787.tif 000003
【図２】
0003229787.tif 000004
【図３】
0003229787.tif 000005
【図４】
0003229787.tif 000006
【図５】
0003229787.tif 000007